(57)【特許請求の範囲】
【請求項１】
一方のバンドが挿通される本体部と、
該本体部と他方のバンドとの間に連結され、前記本体部に対して折り畳み可能な折り畳み部と、
該折り畳み部が前記本体部に対して折り畳まれた状態で、前記折り畳み部と前記本体部との施錠と解錠とを行うロック機構と、を
備えた中留構造であって、
前記ロック機構は、
前記折り畳み部に突設されたフック部と、
前記本体部に滑動可能に取り付けられ、前記本体部の外方より押圧可能に配置されるプッシュボタンと、
該プッシュボタンを外方に付勢する弾性手段と、
前記プッシュボタンに設けられる係合部と、
前記折り畳み部を前記本体部に対して折り畳むと、前記弾性手段に付勢された前記係合部が前記フック部と係合して、前記折り畳み部と前記本体部とが錠止される手段と、
を含み、
前記折り畳み部と前記本体部とが施錠された状態で、前記フック部が、前記本体部に前記バンドの厚み方向に沿って移動可能に配置される押さえ板を介して、前記本体部に挿通された前記一方のバンドを、前記本体部に押しつけるように押圧する手段を備えることを特徴とする装身具の中留構造。
【請求項２】
一方のバンドが挿通される本体部と、
該本体部と他方のバンドとの間に連結され、前記本体部に対して折り畳み可能な折り畳み部と、
該折り畳み部の外板に形成され、前記本体部との連結軸を越えて突出し、前記外板の回動により前記一方のバンドを前記本体部に押しつけるように押圧できるように配置される係止突起と、
該折り畳み部が前記本体部に対して折り畳まれた状態で、前記折り畳み部と前記本体部との施錠と解錠とを行うロック機構と、
を備えた中留構造であって、
前記ロック機構は、
前記折り畳み部に突設されたフック部と、
前記本体部に滑動可能に取り付けられ、前記本体部の外方より押圧可能に配置されるプッシュボタンと、
該プッシュボタンを外方に付勢する弾性手段と、
前記プッシュボタンに設けられる係合部と、
前記折り畳み部を前記本体部に対して折り畳むと、前記弾性手段に付勢された前記係合部が前記フック部と係合して、前記折り畳み部と前記本体部とが錠止される手段と、
を含み、
前記フック部を前記プッシュボタンより離脱する方向に付勢する撥ね上げ手段を、前記本体部における前記プッシュボタンの裏側に配置させることを特徴とする装身具の中留構造。
【請求項３】
一方のバンドが挿通される本体部と、
該本体部と他方のバンドとの間に連結され、前記本体部に対して折り畳み可能な折り畳み部と、
該折り畳み部の外板に形成され、前記本体部との連結軸を越えて突出し、前記外板の回動により前記一方のバンドを前記本体部に押しつけるように押圧できるように配置される係止突起と、
前記折り畳み部が前記本体部に対して折り畳まれた状態で、前記折り畳み部と前記本体部との施錠と解錠とを行うロック機構と、
を備えた中留構造であって、
前記ロック機構は、
前記折り畳み部に突設されたフック部と、
前記本体部に滑動可能に取り付けられ、前記本体部の外方より押圧可能に配置されるプッシュボタンと、
該プッシュボタンを外方に付勢する弾性手段と、前記プッシュボタンに設けられる係合部と、
前記折り畳み部を前記本体部に対して折り畳むと、前記弾性手段に付勢された前記係合部が前記フック部と係合して、前記折り畳み部と前記本体部とが錠止される手段と、
を含み、
前記外板は裏面に屈曲する屈曲部を備え、
前記係止突起と前記屈曲部双方が前記一方のバンドを押圧する手段を含むことを特徴とする装身具の中留構造。
【請求項４】
一方のバンドが挿通される本体部と、
該本体部に回動可能に連結される外板と、
該外板に回動可能に連結され、他方のバンドが取り付けられる中板と、
該中板に回動可能に連結される表カバーと、
前記外板、前記中板、および前記表カバーが前記本体部に対して折り畳まれた状態で、前記表カバーと前記本体部との施錠と解錠とを行うロック機構と、
前記外板に形成され、前記本体部との連結軸を越えて突出し、前記外板の回動により前記一方のバンドを前記本体部に押しつけるように押圧できるように配置される係止突起と、を備えた中留構造であって、
前記ロック機構による施錠の前に、前記中板と前記本体部とを係合させる手段を備えることを特徴とする装身具の中留構造。
【請求項５】
前記ロック機構は、
前記折り畳み部に突設されたフック部と、
前記本体部に滑動可能に取り付けられ、前記本体部の外方より押圧可能に配置されるプッシュボタンと、
該プッシュボタンを外方に付勢する弾性手段と、前記プッシュボタンに設けられる係合部と、
前記折り畳み部を前記本体部に対して折り畳むと、前記弾性手段に付勢された前記係合部が前記フック部と係合して、前記折り畳み部と前記本体部とが錠止される手段と、
を含む請求項４に記載の装身具の中留構造。
【請求項６】
前記フック部が、前記本体部に前記バンドの厚み方向に沿って移動可
能に配置される押さえ板を介して、前記一方のバンドを押圧する手段を含む請求項２、３、あるいは５のいずれかに記載の装身具の中留構造。
【請求項７】
前記撥ね上げ手段が、前記本体部に前記バンドの厚み方向に沿って移動可能に配置される押さえ板の表側に配置される請求項２に記載の装身具の中留構造。
【請求項８】
前記フック部が、前記撥ね上げ手段を介して、前記一方のバンドを押圧する手段を含む請求項７に記載の装身具の中留構造。
【請求項９】
前記撥ね上げ手段が、前記押さえ板の表側に配置される板バネである請求項７、あるいは８のいずれかに記載の装身具の中留構造。
【請求項１０】
前記係止突起と前記ロック機構とを当接させることにより、前記係止突起が前記一方のバンドを押圧する位置から前記一方のバンドより離間する位置へ向かう前記外板の２方向の回動のうち、どちらか一方の回動を抑止する手段を備えることを特徴とする請求項３に記載の装身具の中留構造。
【請求項１１】
前記ロック機構は、前記プッシュボタンの収納する収納部材を備え、前記係止突起と前記収納部とを当接させる手段を含む請求項１０に記載の装身具の中留構造。
【請求項１２】
前記本体部に前記バンドの厚み方向に沿って移動可能に配置される押さえ板を介して、前記一方のバンドを押圧する手段を含む請求項３に記載の装身具の中留構造。
【請求項１３】
前記中板と前記表カバーとの連結軸の端部を前記バンドの幅方向に沿って前記中板より突出させ、前記本体部に形成された凹部、あるいは貫通孔にいずれかに前記連結軸の端部を挿入して、前記中板と前記本体部とを係合させる手段を含む請求項４に記載の装身具の中留構造。
【請求項１４】
前記連結軸がバネ棒であり、バネ棒のピボット部を前記本体部に係合させる手段を含む請求項１３に記載の装身具の中留構造。
【請求項１５】
前記撥ね上げ手段の弾発力の大きさを調整する調整手段を含む請求項２に記載の装身具の中留構造。
【請求項１６】
前記本体部に前記バンドの厚み方向に沿って移動可能に配置される押さえ板を少なくとも２数備え、最も表側に位置する前記押さえ板に、前記フック部を前記プッシュボタンより離脱する方向に付勢する前記撥ね上げ手段が配置される請求項６、７、８、９、１２、あるいは１５のいずれかに記載の装身具の中留構造。
【請求項１７】
前記調整手段は、前記押さえ板の厚みを変更する手段、または前記押さえ板の数量を変更する手段のいずれかである請求項１６に記載の装身具の中留構造。
【請求項１８】
請求項１、２、３、あるいは４のいずれかに記載の中留を備える腕時計。
【発明の詳細な説明】
【０００１】
【発明の属する技術分野】
本発明は、腕時計バンドやブレスレット等の装身具の中留構造に関する。
【０００２】
【従来の技術】
従来の装身具の中留構造としては、実開昭５４−４１２７０号公報、及び実開平６−６６３２９号公報に開示された技術がある。
【０００３】
実開昭５４−４１２７０号公報に開示された従来の中留を、図８と図９に示す。
中留機構１００は、一方のバンド１０１が通過する本体部１０２を備える。本体部１０２は、断面略凹形状をした枠体である。本体部１０２と他方のバンド１０８の間に、本体部１０２に対して折り畳み可能な折り畳み部、すなわち外板１０５、中板１０７、および連結枠１１０が連結される。
詳しくは、外板１０５が、本体部１０２に連結ピン１０３を介して回転自在に支持される。外板１０５のかかる回転軸近傍には、係止突起１０４が形成される。中板１０７が、外板１０５に連結ピン１０６を介して回転自在に支持される。そして、連結枠１１０が、中板１０７に喰付ピン１１１を介して回転自在に支持され、かつ他方のバンド１０８に連結ピン１０９を介して連結される。
【０００４】
また、折り畳み部１０５、１０７、および１１０と、本体部１０２との施錠と解錠とを行うロック機構として、喰付ピン１１１と係合片１１３が開示される。詳しくは、折り畳み部を本体部１０２に対して折り畳むと、喰付ピン１１１が本体部１０２に形成された係合片１１３に係脱可能に係合する。このとき、係止突起１０４が一方のバンド１０１を押圧し、バンド１０１の移動を抑止する。
ところで、外板１０５が回動すると、係止突起１０４が一方のバンド１０１より離間して、バンド１０１が不用意に移動してしまう。よって、かかる外板１０５の回動を抑止する手段も開示される。かかる手段は、外板１０５の外縁が、本体部１０２に形成されたダボ１１２を乗り越えることで達成される。よって、外板１０５は、図８の上方向へは容易に回動しなくなる。
【０００５】
次に、実開平６−６６３２９号公報に開示された従来の中留を、図１０と図１１に示す。中留機構１２０は、折り畳み部である表カバー１２４と、本体部１２２との施錠と解錠とを行うロック機構を開示する。
中留機構１２０は、一方のバンド１２１が挿通される本体部１２２と、他方のバンド１２３に連結される表カバー１２４と掛止フック１２５とを備える。
本体部１２２の底板１３５より立ち上がる一対の側壁１２６それぞれに、一対の孔１２６ａが対向して穿設される。また、断面形状矩形の筒体である収納部（ガイドハウジング）１２７内部に、一対のプッシュボタン１２８と一対のスプリング（図示せず）が収納される。一対のプッシュボタン１２８の押圧部１２８Ａが孔１２６ａから突出するように、収納部１２７は本体部１２２内に収められる。かくして、プッシュボタン１２８それぞれが、本体部１２２に滑動可能に配置される。プッシュボタン１２８は、弾性手段である前記スプリングによって、本体部１２２の外方に付勢される。
【０００６】
さらに、本体部１２２は、側板１２６間に固定された係合ピン１２９、および支持ピン１３０を有する。
係合ピン１２９には、掛止フック１２５が引っかけられる。
該支持ピン１３０には、バンド固定フック１３１が回動可能に取付けられる。バンド固定フック１３１は、側板１２６にバンド厚み方向に沿って移動可能に係止される押圧板１３４を介して、一方のバンド１２１を押圧する。よって、一方のバンド１２１が、本体部１２２に対して任意の位置に固定される。
【０００７】
表カバー１２４の裏面には、略Ｔ字形をしたフック部１３２が突出する。かかるフック部１３２は、前記スプリングによって付勢された一対のプッシュボタン１２８の係合部（図示せず）に係合され、表カバー１２４と本体部１２２とが施錠される。
また、プッシュボタン１２８の押圧部１２８Ａを、前記スプリングの付勢に抗して本体部１２２の内方に押圧すると、プッシュボタン１２８の係合部とフック部１３２とが離間して、表カバー１２４と本体部１２２とが解錠される。このとき、表カバー１２４が本体部１２２に対して自動的に開くように、表カバー１２４を開く方向に付勢する撥ね上げ手段であるコイルスプリング１３３が設けられる。かかるコイルスプリング１３３は、表カバー１２４、他方のバンド１２３、およびバンド固定フックを同軸に連結する連結軸に巻回される。
【０００８】
【発明が解決しようとする課題】
しかしながら、上記した実開昭５４−４１２７０号公報に開示された中留構造にあっては、下記の問題点があったため、容易にバンドの長さ調整ができなかった。
（１）  係止突片１０４の押圧のみでは、一方のバンド１０１を本体部１０２に充分に保持できなかった。よって、一方のバンド１０１が本体部１０２から不用意に抜脱することがあった。
（２）  外板１０５の望ましくない回動を防ぐために、本体部１０２の内方にダボ１１２を形成しなければならない。そのため、ダボ１１２を形成する加工負荷を要するばかりか、ダボ１１２が本体部１０２の美観を損ねていた。また、ダボ１１２との係合により、外板１０５が傷ついたり、甚だしくは変形してしまった。
（３）  他方のバンド１０８が湾曲に対して強い反発力を有する素材から成る場合、かかる反発力に抗して外板１０５と中板１０７を本体部１０２に折り畳んだ状態に維持しつつ、連結枠１１０を枠体１０２に施錠しなければならない。かかる操作は、外板１０５と中板１０７を押さえるのに強い力を要するため、容易ではなかった。
【０００９】
また、上記した実開平６−６６３２９号に記載の装身具の中留にあっては、ロック機構に下記の問題点があった。
（４）  表カバー１２４を撥ね上げる撥ね上げ手段である、表カバー１２４と本体部１２２との間で撓められるコイルスプリング１３３が、中留機構１２０の外方から視認され、装身具の美観を甚だ損ねていた。
（５）  表カバー１２４、他方のバンド１２３、およびバンド固定フックの連結を外さなければ、コイルスプリング１３３を取り外すことができなかった。よって、表カバー１２４の開閉の繰り返しに起因して、コイルスプリング１３３の弾発力が弱くなった場合、コイルスプリング１３３を新しいものと容易に交換できなかった。
【００１０】
本発明は、かかる従来の中留の問題点に着目して成されたものである。本発明の目的とするところは、主として下記の通りである。
（１）一方のバンドを本体部に確実に保持させること。
（２）外板の望ましくない回動を防ぐために、加工が容易で、かつ中留の美観を
損ねない手段を提供すること。
（３）折り畳み部と本体部との施錠を容易にすること。
（４）折り畳み部を撥ね上げる撥ね上げ手段として、中留の美観を損ねない手段
を提供すること。
（５）折り畳み部を撥ね上げる撥ね上げ手段として、撥ね上げる部品の交換が容
易な手段を提供すること。
【００１１】
【課題を解決するための手段】
上記の目的を達成するために本発明の特徴は、請求項１に記載される通りである。特に、「前記折り畳み部と前記本体部とが施錠された状態で、前記フック部が、前記本体部に前記バンドの厚み方向に沿って移動可能に配置される押さえ板を介して、前記本体部に挿通された前記一方のバンドを前記本体部に押しつけるように押圧する手段を備えること」を特徴とする。
【００１２】
かかる構成によって、ロック機構により折り畳み部と本体部とを施錠すると、プッシュボタンと係合した折り畳み部のフック部が、一方のバンドを押圧する。よって、フック部と本体部との間で一方のバンドが挟持される。これにより、一方のバンドが本体部から不用意に抜脱する危険性が削減され、確実に一方のバンドを本体部に保持することができる。
【００１３】
また、本発明の別の特徴は、請求項２に記載される通りである。特に、「前記フック部を前記プッシュボタンより離脱する方向に付勢する撥ね上げ手段を、前記本体部における前記プッシュボタンの裏側に位置して備えること」を特徴とする。
【００１４】
かかる構成によって、撥ね上げ手段がプッシュボタンに隠されるため、撥ね上げ手段を付設しても中留の美観を損ねることがない。
また、従来のように、折り畳み部と連関して付設されていないので、折り畳み部を解体することなく、撥ね上げ手段を容易に交換できる。
【００１５】
また、本発明の別の特徴は、請求項３に記載される通りである。特に、「前記外板は裏面に屈曲する屈曲部を備え、前記係止突起と前記屈曲部双方が前記一方のバンドを押圧する手段を含む」を特徴とする。
【００１６】
かかる構成によって、係止突起と屈曲部双方が一方のバンドを押圧するので、より強固に一方のバンドが本体部に保持される。
【００１７】
また、本発明のさらに別の特徴は、請求項４に記載される通りである。特に、「前記ロック機構による施錠の前に、前記中板と前記本体部とを係合させる手段を備えること」を特徴とする。
【００１８】
かかる構成により、外板と中板を本体部に折り畳んだとき、中板と本体部とを係合させて、外板と中板を折り畳んだ状態に容易に維持することができる。これにより、表カバーを施錠する操作が容易になる。かかる構成は、他方のバンドが湾曲に対して強い反発力を有する場合に特に効果を奏する。
【００１９】
また、ロック機構は、折り畳み部に突設されたフック部と、本体部に滑動可能に取り付けられ、本体部の外方より押圧可能に配置されるプッシュボタンと、該プッシュボタンを外方に付勢する弾性手段と、プッシュボタンに設けられる係合部と、折り畳み部を本体部に対して折り畳むと、弾性手段に付勢された係合部がフック部と係合して、折り畳み部と本体部とが錠止される手段とを含むことが好ましい。
かかる構成により、折り畳み部を本体部に対して折り畳むだけで、折り畳み部と本体部とが錠止されるばかりか、プッシュボタンを本体部の内方に指圧すれば、折り畳み部と本体部とが容易に解錠される。
【００２０】
また、フック部が、本体部にバンドの厚み方向に沿って移動可能に配置される押さえ板を介して、一方のバンドを押圧することが好ましい。
かかる構成により、フック部が一方のバンドを傷つけることが無い。
【００２１】
また、撥ね上げ手段が、本体部にバンドの厚み方向に沿って移動可能に配置される押さえ板の表側に配置されることが好ましい。
かかる構成によって、押さえ板を交換するだけで、撥ね上げ手段を交換することができる。これは、メインテナンス時の撥ね上げ手段の交換や、撥ね上げ力の変更を容易にする。
【００２２】
また、フック部が、撥ね上げ手段を介して、一方のバンドを押圧する手段を含むことが好ましい。
さらにまた、撥ね上げ手段が、押さえ板の表側に配置される板バネであることが好ましい。
【００２３】
かかる構成により、フック部が板バネを撓ませることにより、撥ね上げるための弾発力がフック部に付加されると共に、フック部が板バネと押さえ板を介して一方のバンドを押圧し、一方のバンドが本体部に保持される。よって、フック部を撥ね上げる手段が、一方のバンドを本体部に保持させる手段をも兼ねるため、部品点数や加工負荷を減らすことができる。
また、折り曲げ加工により、押さえ板に板バネを一体に加工すれば、さらに部品点数や工数が削減されるので好ましい。
【００２４】
また、ロック機構は、プッシュボタンの収納する収納部材を備え、係止突起と収納部とを当接させる手段を含むことが好ましい。
かかる構成により、係止突起をロック機構に当接させようとも、  プッシュボタンの滑動を妨げることが無い。よって、ロック機構を安定して作動させることができる。
【００２５】
また、係止突起とロック機構とを当接させることにより、係止突起が一方のバンドを押圧する位置から一方のバンドより離間する位置へ向かう外板の２方向の回動のうち、どちらか一方の回動を抑止する手段を備えることが好ましい。
かかる構成によって、ロック機構が外板の回動を抑止する手段と協働する。ロック機構が外板の回動を抑止する手段を兼ねる。よって、従来のように、外板の回動を抑止するための部材や加工を、中留に余分に加える必要が無いため、中留の美観を損ねることがない。かつ、部品点数や工数が削減され、容易に、かつ安価に中留を製造することができる。さらに、係止突起をロック機構に当接させたので、折り畳み部が傷ついたり、変形したりすることがない。
【００２６】
また、屈曲部が、本体部にバンドの厚み方向に沿って移動可能に配置される押さえ板を介して、一方のバンドを押圧する手段を含むことが好ましい。
かかる構成により、一方のバンドの傷つくことがない。
【００２７】
また、中板と表カバーとの連結軸の端部をバンドの幅方向に沿って中板より突出させ、本体部に形成された凹部、あるいは貫通孔にいずれかに連結軸の端部を挿入して、中板と本体部とを係合させる手段を含むことが好ましい。
かかる構成により、中板と表カバーとの連結軸が、中板と本体部とを係合させる手段を兼ねるので、部品点数や加工負荷を減らすことができる。
【００２８】
また、連結軸がバネ棒であり、バネ棒のピボット部を本体部に係合させる手段を含むことが好ましい。
かかる構成により、中板と本体部とが弾性的に係合するので、中板と本体部との係合、および係合の解除を円滑にすることができる。
【００２９】
また、撥ね上げ手段の弾発力の大きさを調整する調整手段を含むことが好ましい。
このとき、本体部にバンドの厚み方向に沿って移動可能に配置される押さえ板を少なくとも２数備え、最も表側に位置する前記押さえ板に撥ね上げ手段が配置されることが好ましい。
そして、調整手段は、押さえ板の厚みを変更する手段、または押さえ板の数量を変更する手段のいずれかで達成される。
また、かかる手段は、様々な厚みを有するバンドに装着できる中留を実現する。
【００３０】
【発明の実施の形態】
以下、本発明の実施の形態を図１乃至図９に基づいて詳細に説明する。
かかる実施の形態は、腕時計バンド用の中留である。ただし、説明における表、あるいは表側とは、装身具を身体に巻着したときに外方に向く側を示す。逆に、裏、あるいは裏側とは、身体に向く側を言う。図面の上下方向が表裏方向を示す。表裏方向はバンド厚み方向とも表現される。
【００３１】
本発明による腕時計バンド用の中留機構１は、一方のバンド９が挿通される本体部２と、該本体部２と他方のバンド１０との間に連結され、本体部２に対して折り畳み可能な折り畳み部５とを備える。そして、該折り畳み部５が本体部２に対して折り畳まれた状態で、折り畳部５と本体部２との施錠と解錠とを行うロック機構３とを備えて大略構成される。
【００３２】
図２に示すように、本体部２は枠体２０を有する。該枠体２０は、底板２１の両側に、バンドの幅方向に対向する一対の側壁２２が一体に立設されて成る。故に、バンドの幅方向に沿った枠体２０の断面は、略コ字形状とされる。
また、底板２１の表側を向く面、すなわち、図２における上を向く底面に、２つの凸部２１ａがバンドの幅方向に沿って並列して突設される。かかる凸部２１ａは、後述で明らかになるように、一方のバンド９の裏面に凹設した複数の溝９ａに咬合して、本体部２に対する一方のバンド９の位置決めを行う。
また、一対の側壁２２それぞれに、窓孔２３、係止孔２４、および連結孔２５それぞれが対向して穿設される。さらに図３においても明示されるように、一対の側壁２２の内壁それぞれには、半球状の窪みである凹部２６が対向して凹設される。
【００３３】
押さえ板４は、撥ね上げ手段を担うバネ板４０と、一方のバンド９を押圧固定する押圧板４３を、バンドの表裏方向に沿って重ねて構成される。
バネ板４０は、挿入部４０Ａと板バネ４１を備える。挿入部４０Ａは、バンドの長手方向の一端を表側に折り曲げて形成される。板バネ４１は、バンドの幅方向に沿って板４０に穿設される二条のスリットの間の部分を、表側に湾曲して形成される。結果、板バネ４１は、板４０より半円状に突出されて表裏方向に弾性的に撓む。さらに、板４０は、バンド幅方向に沿って互いに逆向きに突出する一対の係止突起４２を備える。
また、押圧板４３は、上記したバネ板４０と平面視でほぼ同一形状を有する板である。バネ板４０と同じく、表側に折り曲げて形成した挿入部４３Ａと、一対の係止突起４４を一体に備える。
【００３４】
バネ板４０の裏側に押圧板４３が重ねられる。バネ板４０の一対の係止突起４２と、押圧板４３の一対の係止突起４４も、表裏方向に沿って重なる。かかる係止突起４２、４３それぞれが、枠体２０の一対の係止孔２４に挿入される。係止突起４２、４３は、係止孔２４の内部を表裏方向に沿って移動可能とされる。かくして、押さえ板４は、バンド厚み方向に沿って移動可能に枠体２０に配置される。押さえ板４と枠体２０の底板２１との間には、一方のバンド９が押さえ板４を表側に押し上げつつ挿通可能な空間が形成される。
係止突起４２、４３を係止孔２４から抜脱すれば、押さえ板４は、枠体２０より容易に取り外すことができる。押圧板４３を取り付けたままに、バネ板４０のみを取り外すこともできる。
【００３５】
一方、図１、および図５に示すように、畳み可能な折り畳み部５は、表カバー８、中板６、および外板７とより成る。
外板７におけるバンド長手方向に沿った一端寄りに、表裏方向に沿って裏側に屈曲した屈曲部７４が形成される。かかる屈曲部７４から外板７の一端までの間に、一方のバンド９を押圧する手段である押圧部７０が備えられる。また、押圧部７０における外板７の一端寄りに、両端に段部１４ａを設けた連結ピン１４を挿通する挿通部７３が一体に形成される。
連結ピン１４を挿通部７３にバンド幅方向に沿って挿通した状態で、枠体２０の側壁２２間に押圧部７０を押し込み、段部１４ａそれぞれを連結孔２５それぞれに嵌合させる。よって、外板７が枠体２０に回動自在に取り付けられる。ことき、押圧部７０は押さえ板４の表側に位置する。
【００３６】
挿通部７３の先端は、外板７よりほぼ垂直に裏面に向けて突出する係止突起７２を備える。外板７の回動と共に、係止突起７２は連結ピン１４を回転軸として回動する。そして、回動する係止突起７２は、押さえ板４の表側の面に当接し、押さえ板４を裏側方向に移動させ得る。
【００３７】
中板６と外板７は、それぞれの他端に設けた連結部を連結ピン１１により連結することにより、互いに回動自在に連結される。
また、中板６の一端に、バンド幅方向に対向する一対の連結部６１が形成される。表カバー８の連結部８１が連結部６１間に配置され、連結軸であるバネ棒１２がバンド幅方向に沿って連結部８１、６１を連通する。よって、表カバー８と中板６がバネ棒１２を回転軸として回動自在に連結される。このとき、バネ棒１２の両端に配置されるピボット部１２ａが、中板６の連結部６１よりバンド幅方向に沿って突出する。ピボット部１２ａは、バネ棒１２内部に収納されたスプリングコイルによって、バネ棒１２より弾性的に出没する。
【００３８】
図２に示すように、表カバー８の裏面に、裏側方向に向けて突出する略Ｔ字形状を成すフック部８０が備えられる。フック部８０の先端には、バンド幅方向に沿って互いに逆向きに突出する係止部８０ａが形成される。係止部８０ａの先端には、フック部８０の先端に向かうにつれて幅が狭くなるように形成された傾斜面８０ｂが備えられる。
かかるフック部８０は、後述の中留機構３０と係脱可能に係合し、施錠と解錠を繰り返すロック機構３の一部を構成する。
【００３９】
また、中板６の連結部６１に近接して、中板６の縁辺より表側に立ち上がり、バンド幅方向に対向する一対の連結片６２が中板６に形成される。他方のバンド１０の一端を連結片６２の間に配置し、連結片６２それぞれに穿設された連結孔６３と、他方のバンド１０の連結孔１０ａに連結ピン１３を連通させる。よって、折り畳み部５の中板６と他方のバンド１０が回動自在に連結される。
【００４０】
図１乃至図３に示すように、ロック機構３は、本体部２に設けた中留機構３０と、折り畳部５の一端に設けた表カバー８のフック部８０との施錠と解錠をする機構である。
中留機構３０は、一対のプッシュボタン３５、該プッシュボタン３５を付勢する弾性手段である一対のスプリング１９、および該プッシュボタン３５とスプリング１９を収納する収納部材であるガイドハウジング３１を備える。
ガイドハウジング３１は、枠体２０の一対の窓孔２３に臨んで開口し、バンド幅方向に貫通する略矩形の箱体である。ガイドハウジング３１は表裏方向に貫通される孔を備える。かかる孔の開口が、フック挿通孔３１ａ、３１ｂとして図示される。
【００４１】
該ガイドハウジング３１内に、一対のプッシュボタン３５が点対称に配置される。プッシュボタン３５は、バンド幅方向に沿って滑動可能に取り付けられる。プッシュボタン３５の間には、一対のスプリング１９がバンド幅方向に沿って挟まれる。
プッシュボタン３５における、ガイドハウジング３１より突出する外側端が、押圧部３６として構成される。押圧部３６は、窓孔２３を挿通して側壁２２の外方に突出し、本体部２の外方より押圧可能に配置される。かくして、中留機構３０が本体部２に取り付けられる。そして収納されたスプリング１９の弾性力によって、プッシュボタン３５が外方に付勢される。
このとき、かかる中留機構３０の裏側に、板バネ４１が位置する。換言すれば、プッシュボタン３５の裏側、あるいはガイドハウジング３１の裏側に、板バネ４１が配置される。これは、板バネ４１が、中留機構３０によって隠されて外方から視認されないという利点を生む。
【００４２】
プッシュボタン３５は、ガイドハウジング３１内部に位置する内端部の一側に、係合突起３７、ガイド凹部３８、スプリング１９を収納する凹部３９とを一体に備える。係合突起３７は、バンド幅方向に沿って傾斜した案内傾斜面３７ａを表側に有する。かかる係合突起３７それぞれは、バンド幅方向に沿って相対するように、かつガイドハウジング３１のフック挿通孔３１ａ、３１ｂに臨むところに配置される。
また、一対のスプリング１９は、一方のプッシュボタン３５の凹部３９と他方のプッシュボタン３５の係合突起３７とで構成される、バンド幅方向に沿った空間に収納される。
ガイドハウジング３１のバンド短手方向に沿う側壁３２、３３に、一対の抜け止め突片３４が点対称に形成される。抜け止め突片３４は、ガイドハウジング３１の内部に折り曲げられて突出する。かかる抜け止め突片３４は、ガイド凹部３８内に配置されるため、プッシュボタン３５の滑動ストロークを規制すると共に、プッシュボタン３５がガイドハウジング３１より抜脱しないようにプッシュボタン３５の抜け止めをする。
【００４３】
以上のように構成された本発明による腕時計バンド用の中留構造の使用方法について、図３乃至図７を用いて説明する。
（操作１）
まず、図５に示すように、外板７を図中矢印ホ方向に回動させる。すると、係止突起７２の先端は押さえ板４より離間し、押さえ板４の表裏方向の移動が許される。次いで、一方のバンド９の先端部を押さえ板４の挿入部４３Ａに案内させながら、枠体２０の底板２１と押さえ板４の間に差し込む。一方のバンド９の通過により、押さえ板４は表側に押し上げられる。一方のバンド９に形成された複数の溝９ａの中から、使用者の手首の太さに適する適宜な溝を選択し、凸部２１ａと咬合させる。よって、枠体２０に対する一方のバンド９の位置決めが成される。
【００４４】
（操作２）
ここで、連結ピン１４を支軸として、テコのように外板７を矢印イ方向に回動させる。すると、図６に見るように、押圧部７０の係止突起７２がガイドハウジング３１に当接する。詳しくは、係止突起７２における、ガイドハウジング３１寄りの側面部７１がガイドハウジング３１に当接する。よって外板７の回動が停止する。かかる外板７の停止位置において、係止突起７２の先端は、表裏方向に沿って底板２１に向けて沈めるように、押さえ板４を押圧する。よって、押さえ板４を介して、一方のバンド９がバンド厚み方向に押圧される。かくして、一方のバンド９が枠体２０に押圧固定される。
【００４５】
外板７は、連結ピン１４の回転中心から押圧部７０の外端までの半径が連結ピン１４の回転中心から側壁３３までの距離と同寸か寸小の範囲で回動可能となり、寸大部は、回動が規制される。
外板７の停止位置において、係止突起７２は、押さえ板４の表側の面に対してほぼ垂直となるように位置する。これは、係止突起７２の描く回動軌跡の中で、押さえ板４を最も強く押圧する位置である。すなわち、かかる外板７の停止位置において、一方のバンド９は枠体２０に最も堅固に押圧固定される。
【００４６】
また、このとき、係止突起７２が押さえ板４と一方のバンド９から離間する位置に向かう２方向の回動、すなわち、図５における矢印イ方向とホ方向の回動のうち、イ方向への外板７の回動は、中留機構３０との当接により完全に止められる。よって、停止位置より外れる外板７の回動は、ホ方向のみの限定される。これは、外板７の不用意な回動に起因して、一方のバンド９の押圧固定が解除され、一方のバンド９が枠体２０より抜脱する危険性を半減する。
また、外板７の不用意な回動を規制するに、係止突起７２を中留機構３０に当接させたので、従来に比べて加工負荷が削減されると同時に、外板７本体には傷や変形を発生させない利点がある。
さらに、係止突起７２はガイドハウジング３１に当接するため、プッシュボタン３５の滑動を決して妨げない。
【００４７】
（操作３）
次に、図６に示すように、中板６を連結ピン１１を支軸に矢印ロ方向に折り畳むように回動させる。すると、バネ棒１２のピボット部１２ａが、枠体２０の一対の側壁２２の内壁によって、バネ棒１２内部に没入される。そして、ピボット部１２ａが凹部２６に位置した時、バネ棒１２内部に収められた弾性手段（スプリングコイル）の付勢により、ピボット部１２ａは凹部２６内に突出する。よって、ピボット部１２ａと凹部２６とが嵌合されて、図１及び図７に示す状態となる。もちろん、凹部２６は、側壁２２を貫通する孔であっても良い。
【００４８】
このように、連結軸であるバネ棒１２を枠体２０に弾性的に係合させたので、少ない部品点数で板６、７を枠体２０に係合させることができる。かつ、中板６と外板７を枠体２０に折り畳んだ状態に維持するために、板６、７を強く押さえ込む必要が無い。これは、折り畳み部５を折り畳む操作を容易にする。
また、折り畳み部５に備えられる連結軸を係合させたので、折り畳み部５が傷ついたり、変形することが無い。
【００４９】
（操作４）
次に、折り畳み部５とロック機構３との施錠と解錠の方法を述べる。
図７に示すように表カバー８は、バネ棒１２を支軸にして、矢印ハ方向に回動させる。図４（ａ）に示すように、フック部８０は、ガイドハウジング３１のフック挿通孔３１ａに挿通され、一対の傾斜面８０ｂが互いに対向する一対の案内傾斜面３７ａに当接して係合突起３７を外方へ押し開く。さらに表カバー８を回動させると、フック部８０が案内傾斜面３７ａを通過し、フック挿通孔３１ｂから突出する。そして図４（ｂ）及び図３（ａ）に示すようにプッシュボタン３５は、スプリング１９に付勢により戻ったフック部８０の係合部８０ａと係合突起３７は互いに係合する。よって、図７に示すように折り畳部５とロック機構３とは施錠され、錠止が完了する。
【００５０】
かかる錠止状態において、図４（ｂ）に示すように、フック部８０は、押さえ板４の板バネ４１を裏側に押圧して撓ませる。よって、板バネ４１の弾発力により、フック部８０に表側への付勢力が保持される。
また、フック部８０は、板バネ４１を介して押さえ板４を裏側に押圧する。すなわち、フック部８０と枠体２０の間で、一方のバンド９が表裏方向に押圧される。これにより、さらに強固に一方のバンド９が枠体２０に保持される。さらに、フック部８０が押さつけようとも、押さえ板４を介しているので、バンド９を傷つけることが無い。
【００５１】
（操作５）
折り畳み部５とロック機構３とを解錠する場合は、図３（ｂ）及び図４（ｃ）に示すように、一対のプッシュボタン３５の押圧部３６を、例えば親指と人差し指で挟んで、スプリング１９の付勢に抗しつつ内方に押圧する。すると、一対のプッシュボタン３５の係合突起３７がフック部８０の係合部８０ａより外れる。そして、撓められた板バネ４１が弾発力により、フック部８０が表側に撥ね上げられ、フック挿通孔３１ａより抜脱する。そして、表カバー８が枠体２０に対して自動的に開く。かくして、折り畳み部５の表カバー８とロック機構３とは解錠される。
【００５２】
（操作６）
また、本体部２から一方のバンド９を外す場合は、先ず、中板６を図６に示す矢印ニ方向に回動させ、バネ棒１２の一対のピボット部１２ａは、内方に撓められた状態とし、凹部２６より外し、さらに一対の側壁２２の内壁を通過し外す。次に、連結ピン１４を支軸として外板７を図５に示す矢印ホ方向に回動させると、押圧部７０の係止突起７２は押さえ板４から離間して、押さえ板４の押圧状態が解除される。よって、無負荷状態となった押さえ板４と底板２１の隙間が拡がって、一方のバンド９を容易に引き抜き外すことができる。
【００５３】
ところで、板バネ４１の弾発力が弱くなった場合、あるいは、より強い弾発力を有する板バネ４１が要求される場合、バネ板４０を枠体２０より取り外し、新しいバネ板と交換すれば良い。このように、極めて容易に板バネ４１の交換が可能である。
また、バネ板４０の表裏方向に沿った厚みを変えること、あるいは押圧板４３の厚みを変えることの少なくともいずれか一方の手段を採用すれば、押さえ板４と底板２１との表裏方向に沿った隙間の高さを変更できる。例えば、押さえ板４を厚くすればするほど、かかる隙間は狭くなると同時に、押さえ板４が一方のバンド９を押圧する力は強くなる。よって、一方のバンド９の厚みに様々に適応できるばかりか、一方のバンド９を押圧する力をも様々に変更できる。
押圧板４３の枚数を２枚以上にしても、押さえ板４が一方のバンド９をより押圧する力を増やすことができる。
【００５４】
また、図８に示すように、上記（操作２）において、外板７が停止位置に位置したとき、外板７の屈曲部７４によって押さえ板４を裏側に向けて押圧することもできる。すると、屈曲部７４が、押さえ板４を介して一方のバンド９を押圧固定する。このように、係止突起７２と屈曲部７４双方で一方のバンド９を押圧すれば、さらに強固に一方のバンド９が枠体２０に保持されるので好ましい。
【００５５】
さて、以上の実施形態は、次のように変更することもできる。
バネ棒１２の一対のピボット部１２ａのうち、いずれか一方のみを側壁２２に係合させる。
あるいは、バネ棒１２を棒状の連結ピンに変更し、かかるピンの一端、または両端のいずれかを側壁２２に係合させる。
あるいは、押さえ板４を１枚の板材で構成し、かかる板に板バネ４１を形成する。
あるいは、板バネ４１を形成するに、コの字型の切り欠けをバネ板４０に形成し、かかるコの字型に切り欠けられた部分を表側に湾曲させる。すると、片側のみ支持されたバネとなる。
【００５６】
【発明の効果】
以上の説明で明らかなように、本発明に係わる装身具の中留構造によれば、下記の効果を奏する。
（１）一方のバンドを本体部に確実に保持できる。
（２）外板の望ましくない回動を防ぐために、加工が容易で、かつ中留の美観を
損ねない手段を提供できる。
（３）折り畳み部と本体部との施錠が容易である。
（４）折り畳み部を撥ね上げる撥ね上げ手段として、中留の美観を損ねない手段
を提供できる。
（５）折り畳み部を撥ね上げる撥ね上げ手段として、撥ね上げる部品の交換が容
易な手段を提供できる。
よって、本発明によれば、容易にバンドの長さ調整ができ、身体より脱落することが無く、かつ操作性の良いロック機構を備えた中留を提供できる。
【図面の簡単な説明】
【図１】本発明の実施形態における装身具の中留構造の表カバーを開いた状態の斜視図である。
【図２】同装身具の中留構造の分解斜視図である。
【図３】（ａ）は、同装身具の中留構造の切断平面図である。
（ｂ）は、同装身具の中留構造のプッシュボタンの押圧状態を示す切断平面図である。
【図４】（ａ）は、同装身具の中留構造のロック片の作動状態を示す断面図である。
（ｂ）は、同装身具の中留構造のロック片の固定状態を示す断面図である。
（ｃ）は、同装身具の中留構造のロック片の開放状態を示す断面図である。
【図５】同装身具の中留構造の各部を開放状態にした開閉操作を示す側面図である。
【図６】同装身具の中留構造の一方のバンドを固定状態にした開閉操作を示す側面図である。
【図７】同装身具の中留構造の表カバーをロック状態にした開閉操作を示す側面図である。
【図８】同装身具の中留構造の表カバーをロック状態にした一部拡大側面図である。
【図９】従来の装身具の中留構造の一部破断した側面図である。
【図１０】同装身具の中留構造の平面図である。
【図１１】他の従来例の装身具の中留構造の表カバーを開いた状態の斜視図である。
【図１２】同装身具の中留構造の断面図である。
【符号の説明】
１    中留機構
２    本体部
３    ロック機構
４    押さえ板
５    折り畳み部
６    中板
７    外板
８    表カバー
９    一方のバンド
９ａ  溝
１０  他方のバンド
１０ａ、２５、６３  連結孔
１１、１３、１４  連結ピン
１２  バネ棒
１２ａ  ピボット部
１９  スプリング
２０  枠体
２１  底板
２１ａ  凸部
２２  側壁
２３  窓孔
２４  係止孔
２６  凹部
３０  中留機構
３１  ガイドハウジング
３２、３３  側壁
３４  抜け止め突片
３５  プッシュボタン
３６  押圧部
３７  係合突起
３７ａ  案内傾斜面
３８  ガイド凹部
３９  凹部
４０  バネ板
４１  板バネ
４２、４４  係止突起
４３  押圧板
４３Ａ、４０Ａ  挿入部
６１、８１  連結部
６２  連結片
７０  押圧部
７１  側面部
７２  係止突起
７３  挿通部
７４  屈曲部
８０  フック部
８０ａ  係止部
８０ｂ  傾斜面
【図１】
0003547311.tif 000002
【図２】
0003547311.tif 000003
【図３】
0003547311.tif 000004
【図４】
0003547311.tif 000005
【図５】
0003547311.tif 000006
【図６】
0003547311.tif 000007
【図７】
0003547311.tif 000008
【図８】
0003547311.tif 000009
【図９】
0003547311.tif 000010
【図１０】
0003547311.tif 000011
【図１１】
0003547311.tif 000012
【図１２】
0003547311.tif 000013